(57)【特許請求の範囲】
【請求項１】
光ファイバ機器内に収納される、光ファイバモジュールであって、
前側側部と後側側部との間に設けられる内部チャンバを備えた本体を有し、光ファイバハーネスが前記内部チャンバ内に設けられると共に１又は２以上の光ファイバコンポーネントと接続され、光ファイバコネクタが光ファイバの各端部に設けられており、
長手方向軸線に沿って前記前側側部に設けられていて、複数個の光ファイバコンポーネントを受け入れるよう構成された前側開口部を有し、前記複数個の光ファイバコンポーネントは、少なくとも、複数個の光ファイバコネクタ及び複数個の光ファイバアダプタで構成され、前記光ファイバコネクタは前記内部チャンバ内で前記光ファイバアダプタに接続され、
前記前側開口部の幅は、前記前側側部の幅全体の少なくとも８５％であり、前記光ファイバモジュールを前記光ファイバ機器の前側端部及び後側端部から取り出すことを可能としながら、前記光ファイバモジュールの幅全体を増大させないで前記光ファイバモジュールの前記前側開口部における高密度の光ファイバコンポーネントを可能とする、
ことを特徴とする光ファイバモジュールハウジング。
【請求項２】
前記前側開口部は、前記前側開口部の幅の７．０ミリメートル（ｍｍ）当たり少なくとも１個の光ファイバ接続部という光ファイバ接続部密度をサポートするよう構成されている、
請求項１記載の光ファイバモジュール。
【請求項３】
前記前側開口部は、少なくとも１２個の光ファイバ接続部を支持するよう構成され、前記前側開口部の幅は、９０ｍｍ以下である、
請求項１記載の光ファイバモジュール。
【請求項４】
前記光ファイバモジュールは、前記前側開口部を貫通して設けられた複数個の光ファイバコンポーネントを更に含む、
請求項１〜３のいずれか１項に記載の光ファイバモジュール。
【請求項５】
前記複数個の光ファイバコンポーネントは、少なくとも、複数個の光ファイバコネクタ及び複数個の光ファイバアダプタで構成されている、
請求項４記載の光ファイバモジュール。
【請求項６】
前記前側開口部の高さは、前記前側側部の高さの少なくとも８５％である、
請求項１〜５のいずれか１項に記載の光ファイバモジュール。
【請求項７】
前記複数個の光ファイバコンポーネントは、少なくとも２４個の光ファイバ接続部を提供する、
請求項１〜６のいずれか１項に記載の光ファイバモジュール。
【請求項８】
前記光ファイバモジュールは、前記本体の前記後側側部を貫通して設けられた少なくとも１つの光ファイバコンポーネントを更に有する、
請求項１〜７のいずれか１項に記載の光ファイバモジュール。
【請求項９】
前記複数個の光ファイバコンポーネントは、単心光ファイバコンポーネントで構成されている、
請求項１〜８のいずれか１項に記載の光ファイバモジュール。
【発明の詳細な説明】
【技術分野】
【０００１】
本発明の技術は、光ファイバ接続をサポートするよう光ファイバ機器内に設けられる光ファイバモジュール及び光ファイバモジュールハウジングに関する。
【０００２】
〔関連出願の説明〕
本願は、２００９年６月１９日に出願された米国特許仮出願第６１／２１８，８７０号の権益主張出願であり、この米国特許仮出願を参照により引用し、その記載内容全体を本明細書の一部とする。
【０００３】
本願は、２０１０年４月３０日に出願された米国特許出願第１２／７７１，４７３号の権益主張出願であり、この米国特許仮出願を参照により引用し、その記載内容全体を本明細書の一部とする。
【背景技術】
【０００４】
光ファイバの利点として極めて広い帯域幅及びノイズの低い動作が挙げられる。これら利点に鑑みて、光ファイバは、種々の用途にますます多く用いられており、このような用途としては、ブロードバンド音声、映像及びデータ伝送が挙げられる。光ファイバを採用した光ファイバネットワークが開発されると共に音声、映像及びデータ送信を私設ネットワークと公衆ネットワークの両方により加入者に提供するよう用いられている。これら光ファイバネットワークは、或る１つの接続点から別の接続点までの「ライブファイバ（live fiber）」を提供するよう光ファイバを互いに連係する分離接続点を有する場合が多い。この点に関し、光ファイバ機器が相互接続（インターコネクション）をサポートするようデータ配信センタ又は中央局に設置されている。
【発明の概要】
【発明が解決しようとする課題】
【０００５】
光ファイバ機器は、アプリケーションのニーズに基づいてカスタマイズされる。光ファイバ機器は、典型的には、スペースの使用を最適化するよう機器ラック内に設けられたハウジング内に収納される。このような光ファイバ機器の一例は、光ファイバモジュールである。光ファイバモジュールは、ケーブル間光ファイバ接続を提供すると共に／或いは光ファイバケーブル接続部の極性を管理するよう設計されている。光ファイバモジュールは、典型的には、シャーシ又はハウジングに取り付けられ、このシャーシ又はハウジングは、機器ラック又はキャビネット内に設けられる。技術者は、機器ラック内に設けられた光ファイバモジュールへの光ファイバ接続部を作る。帯域幅に関する要求及び収益を生じさせる機会を増大させるためにデータセンタ中における接続部の数を多くする要望の高まりに起因して、所与のスペース内に多数の光ファイバ接続部の実現を容易にすることができる光ファイバモジュールを提供する要望が存在する。
【課題を解決するための手段】
【０００６】
詳細な説明中に開示される実施形態は、高密度光ファイバモジュール及び光ファイバモジュールハウジング並びに関連機器を含む。或る特定の実施形態では、光ファイバモジュール及び／又は光ファイバモジュールハウジングの前側開口部が光ファイバコンポーネントを受け入れるよう構成される。前側開口部の幅及び／又は幅及び／又は高さに対する光ファイバモジュールハウジングの本体の前側側部のそれぞれの設計された関係に従って提供できる。このようにすると、光ファイバモジュールの前側側部のスペースが所与の場合、光ファイバコンポーネント及び／又は接続部の高密度を光ファイバモジュール及び／又は光ファイバモジュールハウジングによってサポートできる。本明細書において開示される光ファイバモジュール及び光ファイバモジュールハウジングを光ファイバ機器内に設けることができ、このような光ファイバ機器としては、光ファイバシャーシ及び光ファイバ機器引き出しが挙げられるが、これらには限定されない。他の実施形態では、前側開口部は、光ファイバモジュール及び／又は光ファイバモジュールハウジングの前側開口部の幅及び／又は高さが所与の場合、光ファイバコンポーネント又は接続部の設計された接続部密度の実現能力をサポートするよう提供されるのが良い。光ファイバコンポーネント及び接続部は、例示として、光ファイバアダプタ及び／又は光ファイバコネクタにより提供されるのが良い。本明細書において開示する光ファイバモジュール及び光ファイバモジュールハウジングは、光ファイバ機器内に収納可能であり、このような光ファイバ機器としては、シャーシ及び光ファイバ機器引き出しが挙げられるが、これらには限定されない。
【０００７】
追加の特徴及び利点は、以下の詳細な説明に記載されており、一部は、この記載から当業者には容易に明らかになり又は以下の詳細な説明、特許請求の範囲並びに添付の図面を含む本明細書に記載された本発明を実施することによって認識される。
【０００８】
上述の概要説明と以下の詳細な説明の両方は、実施形態を提供しており、開示内容の性質及び特性を理解するための概観又は枠組を提供するようになっていることは理解されるべきである。添付の図面は、一層深い理解を提供するために組み込まれており、このような添付の図面は、本明細書に組み込まれてその一部をなしている。図面は、種々の実施形態を記載しており、詳細な説明と一緒になって、開示した技術的思想の原理及び作用を説明するのに役立つ。
【図面の簡単な説明】
【０００９】
【図１】一実施形態に従って所与の光ファイバ接続部密度及び帯域幅能力を提供するよう高密度光ファイバモジュールを支持した例示の１‐Ｕサイズシャーシが設置されている例示の光ファイバ機器ラックの正面斜視図である。
【図２】図１のシャーシの背面拡大斜視図であり、光ファイバモジュールが光ファイ  バ機器中に設置された光ファイバ機器トレー内に設けられている状態を示す図である。
【図３】図１のシャーシ内に設置されるよう構成された光ファイバモジュールが設けられている１つの光ファイバ機器トレーの正面斜視図である。
【図４】光ファイバモジュールが設置されていない状態における図３の光ファイバ機器トレーの拡大図である。
【図５】図３の光ファイバ機器トレーの拡大図であり、光ファイバモジュールが収納されている状態を示す図である。
【図６】図３の光ファイバ機器トレーの正面斜視図であり、光ファイバモジュールが収納されていない状態を示す図である。
【図７】光ファイバモジュールを支持した光ファイバ機器トレーの正面斜視図であり、１つの光ファイバ機器トレーが図１のシャーシから引き出されている状態を示す図である。
【図８Ａ】図１のシャーシ内に設けることができると共に１つ又は２つ以上の光ファイバモジュールを支持することができる図６の光ファイバ機器トレーを受け入れるよう構成可能な例示のトレーガイドの左側斜視図である。
【図８Ｂ】図１のシャーシ内に設けることができると共に１つ又は２つ以上の光ファイバモジュールを支持することができる図６の光ファイバ機器トレーを受け入れるよう構成可能な例示のトレーガイドの左側斜視図である。
【図９Ａ】図３の光ファイバ機器トレーの各側に設けられていて、図８Ａトレーガイドによって図１のシャーシ内に受け入れられるよう構成された例示のトレーレールの斜視図である。
【図９Ｂ】図３の光ファイバ機器トレーの各側に設けられていて、図８Ｂのトレーガイドによって図１のシャーシ内に受け入れられるよう構成された例示のトレーレールの平面図である。
【図１０Ａ】図３の光ファイバ機器トレー内に設けることができる例示の光ファイバモジュールの正面右側斜視図である。正面左側斜視図である。
【図１０Ｂ】図３の光ファイバ機器トレー内に設けることができる例示の光ファイバモジュールの正面右側斜視図である。正面左側斜視図である。
【図１１】図１０Ａ及び図１０Ｂの光ファイバモジュールの分解組立て斜視図である。
【図１２】図１１の光ファイバモジュールの平面斜視図であり、カバーが取り外されて、光ファイバモジュール内に収納された光ファイバハーネスを示す図である。
【図１３】光ファイバコンポーネントが収納されていない状態の図１１の光ファイバモジュールの正面図である。
【図１４】１２心ＭＰＯ光ファイバコンポーネントを支持すると共に図３の光ファイバ機器トレー内に収納可能な別の変形例としての光ファイバモジュールの正面右側斜視図である。
【図１５】２４心ＭＰＯ光ファイバコンポーネントを支持すると共に図３の光ファイバ機器トレー内に収納可能な別の変形例としての光ファイバモジュールの正面右側斜視図である。
【図１６】図３の光ファイバ機器トレー内に収納されている変形例としての光ファイバモジュールの正面斜視図である。
【図１７】図１６の光ファイバモジュールの正面右側斜視図である。
【図１８】図１６及び図１７の光ファイバモジュールの正面図である。
【図１９】図３の光ファイバ機器トレー内に収納されている別の例示の光ファイバモジュールの正面斜視図である。
【図２０】図１９の光ファイバモジュールの正面右側斜視図である。
【図２１】図１９及び図２０の光ファイバモジュールの正面図である。
【図２２】図１のシャーシ内に収納可能な変形例としての光ファイバ機器トレー内に収納されている別の変形例としての光ファイバモジュールの正面斜視図である。
【図２３】図２２の光ファイバモジュールの正面右側斜視図である。
【図２４】図２２及び図２３の光ファイバモジュールの正面図である。
【図２５】開示する光ファイバ機器トレー及び光ファイバモジュールに従って光ファイバ機器トレー及び光ファイバモジュールを支持することができる変形例としての例示の４‐Ｕサイズ光ファイバシャーシの正面斜視図である。
【発明を実施するための形態】
【００１０】
次に、或る特定の実施形態を詳細に参照し、これら実施形態の例が添付の図面に示されており、添付の図面には、全てではないが幾つかの特徴が示されている。確かに、本明細書において開示する実施形態は、多種多様な形態で具体化できるので、本発明は、本明細書に記載した実施形態に限定されるものとは解されてはならず、これとは異なり、これら実施形態は、この開示内容が該当する法的要件を満足させるよう提供されている。可能な場合にはいつでも、同一の参照符号は、同一のコンポーネント又は部分を示すために用いられる。
【００１１】
詳細な説明において開示される実施形態は、高密度光ファイバモジュール及び光ファイバモジュールハウジング並びに関連機器を含む。或る特定の実施形態では、光ファイバモジュール及び／又は光ファイバモジュールハウジングの前側側部開口部の幅及び／又は高さは、幅及び／又は高さに対するそれぞれ、光ファイバコンポーネント及び接続部を支持する光ファイバモジュール及び光ファイバモジュールハウジングの本体の前側側部の設計された関係に従って提供できる。このようにすると、光ファイバコンポーネントを光ファイバモジュールの前側側部の所与の割合分又は領域中に設置して所与の光ファイバコンポーネントタイプについて高密度の光ファイバ接続部を提供することができる。別の実施形態では、光ファイバモジュール及び／又は光ファイバモジュールハウジングの前側側部開口部は、光ファイバモジュール及び／又は光ファイバモジュールハウジングの前側側部開口部の幅及び／又は高さが所与の場合、光ファイバコンポーネント又は接続部の設計された接続部密度をサポートするよう提供できる。以下詳細な説明において開示する実施形態は又、高接続部密度及び高帯域幅光ファイバ装置及び関連機器を含む。或る特定の実施形態では、光ファイバ装置が提供され、このような光ファイバ装置は、１つ又は２つ以上のＵスペース光ファイバ機器ユニットを定めるシャーシを有し、１つ又は２つ以上のＵスペース光ファイバ機器ユニットの少なくとも１つは、光ファイバコンポーネントタイプが所与の場合、１‐Ｕスペース内に所与の光ファイバ接続部密度又は帯域幅をサポートするよう構成される。
【００１２】
この点に関し、図１は、例示の１‐Ｕサイズ光ファイバ機器１０を正面斜視図で示している。光ファイバ機器１０は、以下に詳細に説明するように、１‐Ｕスペース内に高光ファイバ接続部密度及び帯域幅をサポートする高密度光ファイバモジュールを支持している。光ファイバ機器１０は、ケーブル間光ファイバ接続部をサポートすると共に複数個の光ファイバケーブル接続部を管理するデータ配信センタ又は中央局のところに設けられるのが良い。以下に詳細に説明するように、光ファイバ機器１０は、各々が１つ又は２つ以上の光ファイバモジュールを支持する１つ又は２つ以上の光ファイバ機器トレーを有する。しかしながら、光ファイバ機器１０は又、光ファイバコンポーネントを支持すると共に光ファイバ接続性をサポートする１つ又は２つ以上の光ファイバパッチパネル又は他の光ファイバ機器を支持するようになっていても良い。
【００１３】
光ファイバ機器１０は、光ファイバ機器シャーシ１２（以下、「シャーシ１２」という）を有する。シャーシ１２は、光ファイバ機器ラック１４内に収納された状態で示されている。光ファイバ機器ラック１４は、垂直に延びると共に光ファイバ機器ラック１４内へのシャーシ１２の取り付けを容易にするための一連の孔１８を有する２本の垂直レール１６Ａ，１６Ｂを有する。シャーシ１２は、垂直レール１６Ａ，１６Ｂ内に互いに上下に積み重ねられた棚の形態をしている光ファイバ機器ラック１４により取り付けられると共に支持されている。図示のように、シャーシ１２は、垂直レール１６Ａ，１６Ｂに取り付けられている。光ファイバ機器ラック１４は、１‐Ｕサイズの棚を支持するのが良く、“Ｕ”は、高さが標準の１．７５インチ（４．４４５ｃｍ）及び幅が標準の１９インチ（４８．２６ｃｍ）に等しい。或る特定の用途では、“Ｕ”の幅は、２３インチ（５８．４２ｃｍ）であるのが良い。この実施形態では、シャーシ１２は、サイズが１‐Ｕであるが、シャーシ１２は、１‐Ｕを超えるサイズで提供されても良い。
【００１４】
以下に詳細に説明するように、光ファイバ機器１０は、各々が１つ又は２つ以上の光ファイバモジュール２２を支持した複数個の伸長可能な光ファイバ機器トレー２２を有する。シャーシ１２及び光ファイバ機器トレー２０は、１‐Ｕスペースを含む所与のスペース内に高密度光ファイバモジュールである光ファイバモジュール２２及び光ファイバ接続部密度及び帯域幅接続部を支持している。図１は、光ファイバモジュール２２内に設けられていて、光ファイバ接続部を支持した例示の光ファイバコンポーネント２３を示している。例えば、光ファイバコンポーネント２３は、光ファイバアダプタ又は光ファイバコネクタであるのが良い。また、以下に詳細に説明するように、光ファイバモジュール２２は、この実施形態では、光ファイバコンポーネント２３を一例として光ファイバモジュール２２の前側側部又は前側フェースの幅の少なくとも８５％にわたって設けることができるよう提供されるのが良い。この光ファイバモジュール２２の構成は、約９０ミリメートル（ｍｍ）以下の前側開口部を提供することができ、この場合、光ファイバコンポーネントを前側開口部を貫通して且つシンプレックス又はデュプレックス光ファイバコンポーネント２３に関し、光ファイバモジュール２２の前側開口部の幅の７．０ｍｍ毎に少なくとも１つの光ファイバ接続部という光ファイバ接続部密度で設けることができる。この例では、各光ファイバモジュール２２内に６個のデュプレックス光ファイバコンポーネント又は１２個のシンプレックス光ファイバコンポーネントを収納することができる。光ファイバ機器トレー２０は、この実施形態では、１‐Ｕスペースのおおよその幅の中に最高４個までの光ファイバモジュールを支持すると共に１‐Ｕスペース内に全部で１２個の光ファイバモジュール２２に関し１‐Ｕスペースの高さ内に３つの光ファイバ機器トレー２０を支持する。例えば、６個のデュプレックス光ファイバコンポーネントが図１に示されているようにシャーシ１２の光ファイバ機器トレー２０内に収納された１２個の光ファイバモジュール２２の各々の中に設けられた場合、全部で１４４個の光ファイバ接続部又は７２個のデュプレックスチャネル（即ち、送信及び受信チャネル）が１‐Ｕスペース内にシャーシ１２で支持される。５つのデュプレックス光ファイバアダプタがシャーシ１２の光ファイバ機器トレー２０内に収納された１２個の光ファイバモジュール２２の各々内に設けられる場合、全部で１２０個の光ファイバ接続又は６０個のデュプレックスチャネルが１‐Ｕスペース内にシャーシ１２で支持される。シャーシ１２は又、１‐Ｕスペース内に少なくとも９８個の光ファイバコンポーネントを支持し、この場合、光ファイバコンポーネントの少なくとも１つは、シンプレックス又はデュプレックス光ファイバコンポーネントである。
【００１５】
多心光ファイバコンポーネント、例えばＭＰＯコンポーネントが光ファイバモジュール２２内に収納された場合、同様な光ファイバコンポーネントを用いた他のシャーシ１２と比較して高い光ファイバ接続部密度及び帯域幅が可能である。例えば、各光ファイバモジュール２２内に最高４個までの１２心ＭＰＯ光ファイバコンポーネントが設けられると共に１‐Ｕスペース内でシャーシ１２内に１２個の光ファイバモジュール２２が設けられた場合、シャーシ１２は、１‐Ｕスペース内に最高５７６個までの光ファイバ接続部を支持する。最高４個までの２４心ＭＰＯ光ファイバコンポーネントが各光ファイバモジュール２２内に設けられると共に１２個の光ファイバモジュール２２がシャーシ１２内に設けられた場合、１‐Ｕスペース内に最高１１５２個までの光ファイバ接続部が支持される。
【００１６】
図２は、図１のシャーシ１２の背面拡大斜視図であり、光ファイバモジュール２２に光ファイバコンポーネント２３が装填されると共に光ファイバモジュール２２がシャーシ１２内に収納された光ファイバ機器トレー２０内に設けられている。モジュールレール２８Ａ，２８Ｂが各光ファイバモジュール２２の各側に設けられている。モジュールレール２８Ａ，２８Ｂは、図３〜図５に詳細に示されているように、光ファイバ機器トレー２０内に設けられたモジュールレールガイド３２のトレーチャネル又は溝形材３０内に挿入されるよう構成されている。任意の数のモジュールレールガイド３２を設けることができることに留意されたい。この実施形態では、光ファイバモジュール２２を光ファイバ機器トレー２０の前側端部３４と後側端部３６の両方から収納可能である。光ファイバモジュール２２を後側端部３６から光ファイバ機器トレー２０内に収納することが望ましい場合、光ファイバモジュール２２の前側端部３３を光ファイバ機器トレー２０の後側端部３６から挿入するのが良い。詳細に説明すると、光ファイバモジュール２２の前側端部３３をモジュールレールガイド３２のトレーチャネル３０内に挿入する。次に、光ファイバモジュール２２を光ファイバモジュール２２がモジュールレールガイド３２の前側端部３４に達するまでトレーチャネル３０内で前方に押すのが良い。光ファイバモジュール２２を光ファイバモジュール２２が本明細書において後で説明するように、前側端部３４に設けられた停止又はロック（係止）特徴部に達するまで前側端部３４に向かって動かすのが良い。図６は又、光ファイバ機器トレー２０のトレーチャネル３０及び他の特徴部を示すために光ファイバモジュール２２が収納されない状態の光ファイバ機器トレー２０を示している。
【００１７】
光ファイバモジュール２２を光ファイバ機器トレー２０の前側端部３３まで前方に押すことにより光ファイバモジュール２２を光ファイバ機器トレー２０内の定位置にロックすることができる。前側停止部３８の形態をしたロック特徴部が図３に示されているように且つ図４において拡大図で詳細に説明されているようにモジュールレールガイド３２に設けられている。前側停止部３８は、光ファイバモジュール２２が図５では光ファイバモジュール２２が収納された状態の光ファイバ機器トレー２０の拡大図に示されているように、前側端部３４を越えて延びるのを阻止する。光ファイバモジュール２２を光ファイバ機器トレー２０から取り出すことが望ましい場合、これ又モジュールレールガイド３２に設けられると共に前側停止部３８に結合された前側モジュールタブ４０をこれが前側停止部３８に係合するよう下方に押すのが良い。その結果、前側停止部３８は、光ファイバモジュール２２から遠ざかって外方に動き、その結果、光ファイバモジュール２２が前方に引かれるのが妨害されないようになる。光ファイバモジュール２２及び特にそのモジュールレール２８Ａ，２８Ｂ（図２）をモジュールレールガイド３２に沿って前方に引っ張ると、光ファイバモジュール２２を光ファイバ機器トレー２０から取り出すことができる。
【００１８】
光ファイバモジュール２２を光ファイバ機器トレー２０の後側端部３６から取り出すことも可能である。光ファイバモジュール２２を光ファイバ機器トレー２０の後側端部３６から取り出すため、レバー４６（図２及び図３参照、又図１０Ａ及び図１０Ｂ参照）を光ファイバモジュール２２に向かって内方に押すことによってラッチ４４を外し、それによりラッチ４４がモジュールレールガイド３２から解除される。レバー４６を光ファイバモジュール２２に向かって内方に押しやすくするため、フィンガフック又は指掛け４８がレバー４６に隣接して設けられており、その結果、レバー４６を親指及び人差し指でフィンガフック４８中に容易に押し込むことができるようになっている。
【００１９】
引き続き図３〜図６を参照すると、光ファイバ機器トレー２０は、延長部材５０を更に有するのが良い。光ファイバモジュール２２（図３）内に設けられた光ファイバコンポーネント２３に接続されている光ファイバ又は光ファイバケーブルの引き回しを可能にするために好都合には引き回しガイド３２が延長部材５０に設けられるのが良い。光ファイバ機器トレー２０の端部に設けられている引き回しガイド５２′は、光ファイバ機器トレー２０の側部に対して角度をなして光ファイバ又は光ファイバケーブルを引き回すためにモジュールレールガイド３２に対して角度をなすのが良い。引きタブ３４も又、光ファイバ機器トレー２０をシャーシ１２から容易に引き出したりこの中に押し込んだりすることができるようにする手段となるよう延長部材５０に連結されるのが良い。
【００２０】
図３及び図６に示されているように、光ファイバ機器トレー２０は、トレーレール５６を更に有する。トレーレール５６は、光ファイバ機器トレー２０を保持してこれが図７に示されているようにシャーシ１２に出入りすることができるようにするためにシャーシ１２内に設けられているトレーガイド５８内に受け入れられるよう構成されている。トレーレール５６及びシャーシ１２内におけるトレーガイド３８へのこれらの結合に関する詳細を図８Ａ及び図８Ｂ並びに図９Ａ及び図９Ｂを参照して以下に説明する。光ファイバ機器トレー２０をこれらのトレーレール５６がトレーガイド５８内で動くことによりシャーシ１２に出入りさせることができる。このように、光ファイバトレー機器２０は、シャーシ１２内のトレーガイド５８回りに別個独立に動くことができる。図７は、シャーシ１２内のトレーガイド５８内に設けられている３つの光ファイバ機器トレー２０の１つの光ファイバ機器トレー２０がシャーシ１２から引き出されている状態を示す正面斜視図である。トレーガイド５８は、光ファイバ機器トレー２０の左側端部６０と右側端部６２の両方に設けられるのが良い。トレーガイド５８は、シャーシ１２内に受け入れられた光ファイバ機器トレー２０のトレーレール５６のための相補トレーガイド５８を提供するようシャーシ１２内で反対側に且つ互いに向かい合って収納されている。特定の光ファイバ機器トレー２０及び／又は光ファイバ機器トレー２０内の特定の光ファイバモジュール２２に接近することが望ましい場合、所望の光ファイバ機器トレー２０の引きタブ５４を前方に引っ張って光ファイバ機器トレー２０が図７に示されているようにシャーシ１２から前方に延び出ることができるようにする。光ファイバモジュール２２を上述したように光ファイバ機器トレー２０から取り出すことができる。接近が完了すると、光ファイバ機器トレー２０をシャーシ１２内に押し戻すのが良く、トレーレール５６は、シャーシ１２内に設けられているトレーガイド５８内で動く。
【００２１】
図８Ａ及び図８Ｂは、図１のシャーシ１２内に設けることができる例示のトレーガイド５８，５８′の左側斜視図である。図８Ａのトレーガイド５８は、１‐Ｕスペース内に最高２本までのトレーレール５６を支持するよう構成されている。図８Ｂのトレーガイド５８′は、図１に示されているように、１‐Ｕスペース当たり最高３本までのトレーレール５６を支持するよう構成されている。トレーガイド５８，５８′は、同一の特徴を有し、図８Ａのトレーガイド５８に関する以下の説明は、図８Ｂのトレーガイド５８′に同様に当てはまる。トレーガイド５８，５８′に関する同一の特徴部又は要素は、共通の部材番号で示されており、但し、トレーガイド５８′のこのような特徴部には、プライム記号（′）が添えられている。
【００２２】
上述したように、トレーガイド５８，５８′は、シャーシ１２内に１つ又は２つ以上の光ファイバモジュール２２を支持した光ファイバ機器トレー２０を受け入れるよう構成されている。トレーガイド５８，５８′により、光ファイバ機器トレー２０を図７に示されているようにシャーシ１２から引き出すことができる。図８Ａのトレーガイド５８は、ガイドパネル６４で構成されている。ガイドパネル６４は、細長い部材６５で構成されている。ガイドパネル６４は、所望の任意の材料で構成でき、このような材料としては、ポリマー又は金属が挙げられるが、これらには限定されない。ガイドパネル６４は、図８Ａに示されているようにシャーシ１２へのガイドパネル６４の取り付けを容易にする一連の孔６６を有している。ガイド部材６８がガイドパネル６４の内側に設けられており、これらガイド部材は、光ファイバ機器トレー２０のトレーレール５６を受け入れるよう構成されている。図８Ａの実施形態では、２つのガイド部材６８が１‐Ｕスペース内に３つの光ファイバ機器トレー２０の最大３つのトレーレール５６を受け入れることができるようガイドパネル６４の内側に設けられている。図８Ｂの実施形態では、３つのガイド部材６８′が１‐Ｕスペース内に３つの光ファイバ機器トレー２０の最大３つまでのトレーレール５６を受け入れることができるようガイドパネル６４′の内側に設けられている。しかしながら、１‐Ｕスペースよりも小さい又は大きいサイズをカバーするよう所望の任意の数のガイド部材６８，６８′をトレーガイド５８，５８′内に設けることができる。図８Ａに示されているように、ガイド部材６８は各々、トレーレール５６を受け入れるよう構成されたガイドチャネル又は案内溝形材７０を有し、これらガイドチャネル７０により、トレーレール５６は、シャーシ１２回りの光ファイバ機器トレー２０の並進を可能にするようガイドチャネル７０に沿って動くことができる。
【００２３】
図８Ａを参照すると、板ばね７２がトレーガイド５８のガイド部材６８の各々に設けられており、これら板ばねは各々、ガイド部材６８内での光ファイバ機器トレー２０の運動中、トレーレール５６のための停止位置を提供するよう構成されている。板ばね７２は各々、停止又は休止位置を提供するようトレーレール５６に設けられている戻止め７６（図９Ａ及び図９Ｂ参照）を受け入れるよう構成された突起７４を有する。トレーレール５６は、トレーレール５６を光ファイバ機器トレー２０に取り付けるために用いられる取り付けプラットホーム７５を有する。光ファイバ機器トレー２０がシャーシ１２に出入りする際に停止位置を有することができるようにするためにトレーガイド５６中に停止位置を提供することが望ましい場合がある。停止位置により、技術者は、或る程度の力を加えて光ファイバトレー２０をガイドパネル２４周りに引き又は押すことができ、光ファイバ機器トレー２０は、引かれておらず又は押されていないときに定位置に保持されるようになる。しかしながら、このような力は又、技術者が所望するときには、特に光ファイバ機器トレー２０を技術者の上方に配置する場合、光ファイバ機器トレー２０をガイドパネル２４内に容易に押し込み又はこれから容易に引き出すことができるよう指定可能である。この点に関し、一例を挙げると、トレーレール５６に設けられた２つの戻止め７６が任意所与の時点でトレーガイド５８に設けられている２つの突起７４内に収納される。光ファイバ機器トレー２０が第１の停止位置でシャーシ１２内に完全に引っ込められると、トレーレール５６の２つの戻止め７６は、ガイドチャネル７０の後側端部７７に隣接して位置する１つの突起７４及びガイドチャネル７０の後側端部７７と前側端部７８との間に設けられている中間突起７４内に収納される。光ファイバ機器トレー２０をシャーシ１２から引き出すと、トレーレール５６の２つの突起７６は、ガイドチャネル７０の前側端部７８に隣接して位置する１つの突起７４及びガイドチャネル７０の後側端部７７と前側端部７８との間に設けられている中間突起７４内に収納される。この実施形態において板ばね７２の戻止め７６とトレーレール５６の突起７４の嵌合により提供される停止又は休止位置は、ガイド部材７８内に設けられた光ファイバ機器トレー２０のトレーレール５６を並進させるよう停止位置に打ち勝つためにガイドパネル６４に加わる力を必要とするようになっている。
【００２４】
この実施形態では、各板ばね７２は、全部で４ポンド（１．８１ｋｇ）の引張り力について（即ち、トレーレール５６の２つの戻止め７６が２つの板ばね７２に設けられた２つの突起７４と嵌合する）、板ばね７２の突起７４がトレーレール５６に設けられている突起７４に打ち勝つことができるようにするのに約２ポンド（０．９１ｋｇ）の引張り力を必要とするよう設計されている。突起７４と戻止め７６の嵌合状態に打ち勝つのに必要な引張り力は、所望の任意の引張り力であるよう設計可能である。例えば、突起７４と戻止め７６の嵌合状態に打ち勝つのに必要な引張り力は、光ファイバコネクタを光ファイバ機器トレー２０により支持された光ファイバモジュール２２に係合させ又はこれから離脱させるのに必要な引張り力よりも大きい力であるよう指定可能である。この実施形態における板ばね７２は、各々が同一の力をもたらすよう設計されているが、このような構成がそうでなければならないことはない。さらに、ガイドパネル６４及びトレーレール５６は、より少ない停止位置をもたらし又は各停止又は休止位置において１つの戻止め７６と嵌合する１つの突起７４だけを提供するよう設計可能である。
【００２５】
トレーレール５６が停止位置にあるとき、上述したように、２つの板ばね７２に設けられた２つの突起７４がトレーレール５６の２つの戻止め７６と嵌合する。この実施形態では、トレーレール５６が停止位置にあるとき、板ばね７２及びこれらの突起７４並びにトレーレール５６の相補戻止め７６は、戻止め７６が突起７４に力を及ぼすことがないよう協働的に設計される。板ばね７２は、トレーレール５６が停止位置にあるとき、応力を受けない状態にある。これは、板ばね７２をクリープが経時的に生じる場合があり、経時的に板ばね７２の有効性を減少させる例えばポリマー材料のような材料で作っている場合に有利なことがある。しかしながら、この特徴は、設計上の要件ではない。図８Ｂのトレーガイド５８′も又、３つのトレーレール５６の運動をサポートすると共に可能にするよう図８Ａのトレーガイド５８に関して上述したように採用可能である。
【００２６】
トレーレール５６をガイドチャネル７０内で引っ張ると、トレーレール５６に設けられていて、図９Ａ及び図９Ｂに示されている突起８０が図８に示されているように板ばね７２相互間に設けられている移行部材８２を乗り越えるよう付勢される。突起８０は、図９Ａ及び図９Ｂに示されているように、トレーレール５６に設けられている板ばね８１に設けられている。移行部材８２は、光ファイバ機器トレー２０がガイドチャネル７０と一緒に並進されているとき、突起８０が移行部材８２を乗り越えることができるようにする傾斜面８４を有する。突起８０が移行部材８２を有しているので、突起８０に加えられた力により、板ばね８１は、内方に曲がって突起８０が移行部材８２を乗り越えることができるよう内方に曲がる。トレーレール５６及び光ファイバ機器トレー２０がガイドチャネル７０の前側端部７８及び後側端部７７を越えて伸長されるのを阻止するため、ガイドチャネル７０の前側端部７８及び後側端部７７のところに停止部材８６が設けられている。停止部材８６は、傾斜面を備えておらず、トレーレール５６の突起８０は、停止部材８６に当接し、停止部材８６を越えてガイドチャネル７０の前側端部７８の外側に延びるのが阻止される。
【００２７】
１‐Ｕシャーシ１２並びに光ファイバ機器トレー２０及びこの中に収納できる光ファイバモジュール２２の上述の実施形態の知識を踏まえたうえで、次に、光ファイバモジュール２２の形状因子について説明する。光ファイバモジュール２２の形状因子により、高密度の光ファイバコンポーネント２３を光ファイバモジュール２２の前側の或る特定の割合の領域内に設けることができ、所与の形式の光ファイバコンポーネント２３について特定の光ファイバ接続部密度及び帯域幅がサポートされる。この光ファイバモジュール２２の形状因子を１‐Ｕスペース内に最高１２個までの光ファイバモジュール２２を支持することができることと組み合わせると、上述の例示のシャーシ１２により説明したように、高い光ファイバ接続部密度及び帯域幅がサポートされると共に可能である。
【００２８】
この関係で、図１０Ａ及び図１０Ｂは、例示の光ファイバモジュール２２の右側及び左側斜視図である。上述したように、シャーシ１２内に光ファイバ接続部を提供するために光ファイバモジュール２２を光ファイバ機器トレー２０内に収納するのが良い。光ファイバモジュール２２は、カバー９２を受け入れる本体９０で構成されている。内部チャンバ９４（図１１）が本体９０及びカバー９２内に設けられ、この内部チャンバは、以下に詳細に説明するように、光ファイバ又は光ファイバケーブルハーネスを受け入れ又は保持するよう構成されている。本体９０は、本体９０の前側側部９６と後側側部９８との間に位置している。光ファイバコンポーネント２３を本体９０の前側側部９６を貫通して設けることができ、このような光ファイバコンポーネントは、光ファイバケーブル（図示せず）に接続された光ファイバコネクタを受け入れるよう構成される。この例では、光ファイバコンポーネント２３は、デュプレックスＬＣ光ファイバコネクタとの接続部を受け入れると共に支持するよう構成されたデュプレックスＬＣ光ファイバアダプタである。しかしながら、光ファイバモジュール２２内に所望の任意形式の光ファイバ接続部を設けることができる。光ファイバコンポーネント２３は、本体９０の後側側部９８を貫通して設けられた光ファイバコンポーネント１００に接続されている。このように、光ファイバコンポーネント２３への接続部により、光ファイバコンポーネント１００への光ファイバ接続部が作られる。この例では、光ファイバコンポーネント１００は、多数本の光ファイバ（例えば、１２本か２４本かのいずれかの光ファイバ）への接続部を定めるよう構成された多心ＭＰＯ光ファイバアダプタである。光ファイバモジュール２２は又、光ファイバコンポーネント２３，１００相互間の極性を管理することができる。
【００２９】
モジュールレール２８Ａ，２８Ｂは、光ファイバモジュール２２の各側部１０２Ａ，１０２Ｂに設けられている。上述したように、モジュールレール２８Ａ，２８Ｂは、図３に示されているように光ファイバ機器トレー２０内のモジュールレールガイド３２内に挿入されるよう構成されている。このようにすると、光ファイバモジュール２２を光ファイバ機器トレー２０内に収納することが望ましい場合、光ファイバモジュール２２の前側側部９６を上述したように光ファイバ機器トレーの前側端部３３か後側端部３６かのどちらからでも挿入することができる。
【００３０】
図１１は、光ファイバモジュール２２の内部チャンバ９４及び他の内部コンポーネントを示すために光ファイバモジュール２２のカバー９２が取り外された状態の光ファイバモジュール２２の分解組立て図である。図１２は、組み立て状態の光ファイバモジュール２２を示しているが、カバー９２は、本体９０に取り付けられていない。カバー９２は、カバー９２を本体９０に固定するようカバー９２を本体９０に取り付けると、光ファイバモジュール２２の本体９０の側部１０２Ａ，１０２Ｂに設けられている突起１１２とインターロックするよう構成された、側部１０８，１１０に設けられている切欠き１０６を有している。カバー９２も又、カバー９２の前側側部１１８及び後側側部１２０にそれぞれ設けられた切欠き１１４，１１６を有している。切欠き１１４，１１６は、これ又カバー９２を本体９０に固定するようカバー９２を本体９０に取り付けると、本体９０の前側側部９６及び後側側部９８にそれぞれ設けられた突起１２２，１２４とインターロックするよう構成されている。図１２は、突起１２２，１２４を示していない。
【００３１】
引き続き図１１を参照すると、光ファイバコンポーネント２３は、本体９０の前側側部９６に長手方向軸線Ｌ1に沿って設けられた前側開口部１２６を貫通して設けられている。この実施形態では、光ファイバコンポーネント２３は、シンプレックス又はデュプレックス光ファイバ接続部及びコネクタを支持したデュプレックスＬＣアダプタ１２８である。この実施形態におけるデュプレックスＬＣアダプタ１２８は、この実施形態ではデュプレックスＬＣアダプタ１２８を本体９０内に固定するよう本体９０に設けられているオリフィス１３５とこれと嵌まり合うよう構成された突起１３０を有する。ケーブルハーネス１３４が内部チャンバ９４内に設けられており、光ファイバコネクタ１３６，１３８がデュプレックスＬＣアダプタ１２８に接続された光ファイバ１３９の各端部及び本体９０の後側側部９８内に設けられた光ファイバコンポーネント１００に設けられている。この実施形態における光ファイバコンポーネント１００は、この実施形態では１２心ＭＰＯ光ファイバアダプタ１４０である。２つの垂直部材１４２Ａ，１４２Ｂが光ファイバケーブル１３４の光ファイバ１３９の分布を保持するよう図１２に示されているように本体９０の内部チャンバ９４内に設けられている。垂直部材１４２Ａ，１４２Ｂ及びこれら相互間の距離は、光ファイバ１３９にこの実施形態では４０ｍｍ以下、好ましくは２５ｍｍ以下の曲げ半径Ｒを提供し、それにより高光ファイバコネクタ密度の維持を助けるよう設計されている。
【００３２】
損傷を阻止し、曲げ半径を定めてこれを維持すると共に／或いは装置を組み立てやすくするためにケーブルハーネス１３４をモジュール内で保持すると共に／或いは引き回す光ファイバガイドについて図１２の垂直部材１４２Ａ，１４２Ｂの他に他の構造体の採用が可能である。光ファイバガイド構造体は又、光ファイバについて曲げ半径Ｒを維持するのに有用である。一例を挙げると、図１２Ａは、カバーが取り外された状態の別の光ファイバモジュール２２の平面斜視図であり、光ファイバハーネス１３４の光ファイバを保持すると共に引き回すための複数個の光ファイバガイド１４３，１４４内に収納された光ファイバハーネス１３４を示している。光ファイバガイドに関する任意適当な形状がモジュール内の光ファイバガイドの適当な数と共に採用可能である。さらに、光ファイバガイドの１つ又は２つ以上は、リボンから個々のファイバへの移行等を可能にするために分岐本体に対応するよう形作られるのが良い。この実施形態では、光ファイバガイド１４３，１４４は、２つの互いに異なる形状及び３つの互いに異なる配置場所を有する。具体的に説明すると、光ファイバガイド１４３は、Ｌ字形ガイドとして構成され、適当に間隔を置いて位置した場所に配置され、光ファイバガイド１４４は、光ファイバガイド１４３から間隔を置いて位置したＪ字形ガイドである。その結果、組立者は、光ファイバガイド１４３，１４４を用いてケーブルハーネス１３４を本体９０の内部チャンバ９４内に容易且つ迅速に収納することができる。さらに、光ファイバガイド１４３，１４４は、光ファイバハーネス１３４の光ファイバに適当な曲げ半径を保証すると共にカバーの取り付け時に光ファイバの締め付けを阻止する。光ファイバガイド１４３，１４４は、本体９０と成形された任意適当な構造の状態に構成でき又は別個のコンポーネントとして構成可能である。例えば、他の構造体は、本体９０内に成形により設けられていて、摩擦嵌め及び／又は接着剤を用いて別々の光ファイバガイドを受け入れて固定する保持ピンを有するのが良いが、これにより製造上の複雑さが増す。
【００３３】
図１３は、光ファイバモジュール２２の形状因子を更に示すために光ファイバコンポーネント２３が前側側部９６内に装入されていない状態の光ファイバモジュール２２の正面図である。上述したように、前側開口部１２６は、光ファイバコンポーネント２３を受け入れるよう本体９０の前側側部９６を貫通して設けられている。前側開口部１２６の幅Ｗ1が大きければ大きいほど、光ファイバモジュール２２内に設けることができる光ファイバコンポーネント２３の数がそれだけ一層多くなる。光ファイバコンポーネント２３の数を多くすることは、高い光ファイバ接続性及び帯域幅をサポートする光ファイバ接続部が多くなることと同じである。しかしながら、前側開口部１２６の幅Ｗ1が大きければ大きいほど、光ファイバモジュール２２のためにシャーシ１２に設けることが必要な領域がそれだけ一層広くなる。この実施形態では、前側開口部１２６の幅Ｗ1は、光ファイバモジュール２２の本体９０の前側側部９６の幅Ｗ2の少なくとも８５％であるよう設計されている。幅Ｗ1と幅Ｗ2の比が大きければ大きいほど、幅Ｗ2を増大させないで光ファイバコンポーネント２３を受け入れるために前側開口部１２６に設けられる領域がそれだけ一層広くなる。幅Ｗ3、即ち、光ファイバモジュール２２の全幅は、この実施形態では、８６．６ｍｍ又は３．５インチ（８８．９ｍｍ）であるのが良い。光ファイバモジュール２２の全深さＤ1は、この実施形態（図１２）では、１１３．９ｍｍ又は４．５インチ（１１４．３ｍｍ）である。上述したように、光ファイバモジュール２２は、４個の光ファイバモジュール２２をシャーシ１２内の光ファイバ機器トレー２０内の１‐Ｕ幅スペース内に配置することができる設計されている。シャーシ１２の幅は、この実施形態では、１‐Ｕスペース幅に対応するよう設計されている。
【００３４】
３つの光ファイバ機器トレー２０がシャーシ１２の１‐Ｕ高さ内に設けられている状態で、全部で１２個の光ファイバモジュール２２を所与の１‐Ｕスペース内に支持することができる。図１のシャーシ１２内に示すように光ファイバモジュール２２一個当たり最高１２個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における１２個の光ファイバ接続部×１２個の光ファイバモジュール２２）。シャーシ１２は、１２個のシンプレックス又は６個のデュプレックス光ファイバアダプタが光ファイバモジュール２２内に設けられることにより、１‐Ｕスペース内に最高１４４個までの光ファイバ接続部を支持することができる。光ファイバモジュール２２一個当たり最高１０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における１０個の光ファイバ接続部×１２個の光ファイバモジュール２２）。シャーシ１２は又、１０個のシンプレックス又は５個のデュプレックス光ファイバアダプタが光ファイバモジュール２２内に設けられることにより、１‐Ｕスペース内に最高１２０個までの光ファイバ接続部を支持することができる。
【００３５】
本明細書において開示するシャーシ１２及び光ファイバモジュール２２のこの実施形態は、１‐Ｕスペース内に所与の光ファイバ接続部密度をサポートすることができ、この場合、１‐Ｕスペース内の１２個の光ファイバモジュール２２内において光ファイバコンポーネント２３により占められる領域は、１‐Ｕスペース内の光ファイバ機器ラック１４の全領域の少なくとも５０％を表している（図１参照）。１２個の光ファイバモジュール２２がシャーシ１２内の１‐Ｕスペース内に設けられている場合、１‐Ｕスペースは、光ファイバモジュール２２の前側側部９６の領域の少なくとも７５％を占める光ファイバコンポーネント２３で構成されている。
【００３６】
１つの送信／受信ペアを提供するための２本のデュプレックス又は二重光ファイバは、ハーフデュプレックスモードで毎秒１０ギガビット又はフルデュプレックスモードにおいて毎秒２０ギガビットのデータ率に対応することができる。上述の実施形態では、少なくとも１つのデュプレックス又はシンプレックス光ファイバコンポーネントを採用した１‐Ｕスペース内の少なくとも７２個のデュプレックス送信及び受信ペアを提供することにより、１０ギガビットトランシーバを用いた場合、ハーフデュプレックスモードにおいて１‐Ｕスペースで毎秒少なくとも７２０ギガビット又はフルデュプレックスモードにおいて１‐Ｕスペースで毎秒少なくとも１４４０ギガビットのデータ率をサポートすることができる。この構成は又、１００ギガビットトランシーバを採用した場合、それぞれ、ハーフデュプレックスモードにおいて１‐Ｕスペースで毎秒少なくとも６００ギガビット及びフルデュプレックスモードにおいて１‐Ｕスペースで毎秒１２００ギガビットをサポートすることができる。この構成は又、４０ギガビットトランシーバを採用した場合、それぞれ、ハーフデュプレックスモードにおいて１‐Ｕスペースで毎秒少なくとも４８０ギガビット及びフルデュプレックスモードにおいて１‐Ｕスペースで毎秒９６０ギガビットをサポートすることができる。１‐Ｕスペース内における少なくとも６０個のデュプレックス送信及び受信ペアは、１０ギガビットトランシーバを採用した場合、ハーフデュプレックスモードにおいて１‐Ｕスペースで毎秒少なくとも６００ギガビット又はフルデュプレックスモードにおいて１‐Ｕスペースで毎秒少なくとも１２００ギガビットのデータ率に相当することができる。１‐Ｕスペース内における少なくとも４９個のデュプレックス送信及び受信ペアは、１０ギガビットトランシーバを採用した場合、ハーフデュプレックスモードにおいて１‐Ｕスペースで毎秒少なくとも４８１ギガビット又はフルデュプレックスモードにおいて１‐Ｕスペースで毎秒少なくとも９６２ギガビットのデータ率に相当することができる。
【００３７】
前側開口部１２６の幅Ｗ1は、光ファイバモジュール２２の本体９０の前側側部９６の幅Ｗ2の８５％以上であるように設計されるのが良い。例えば、幅Ｗ1は、幅Ｗ2の９０％〜９９％であるよう設計されるのが良い。一例を挙げると、幅Ｗ1は、９０ｍｍ未満であるのが良い。別の例を挙げると、幅Ｗ1は、８５ｍｍ未満又は８０ｍｍ未満であるのが良い。例えば、幅Ｗ1と幅Ｗ2の比が９７．６％の場合、幅Ｗ1は、８３ｍｍであり、幅Ｗ2は、８５ｍｍであるのが良い。この例では、前側開口部１２６は、前側開口部１２６の幅Ｗ1の７．０ｍｍ当たり少なくとも１個の光ファイバ接続部という光ファイバ接続部密度をサポートするよう幅Ｗ1内に１２個の光ファイバ接続部を支持することができる。さらに、光ファイバモジュール２２の前側開口部１２６は、前側開口部１２６の幅Ｗ1の６．９ｍｍ当たり少なくとも１個の光ファイバ接続部という光ファイバ接続部密度をサポートするよう幅Ｗ1内に１２個の光ファイバ接続部を支持することができる。
【００３８】
さらに、図１３に示されているように、前側開口部１２６の高さＨ1は、光ファイバモジュール２２の本体９０の前側側部９６の高さＨ2の少なくとも９０％であるように設計されるのが良い。このようにすると、前側開口部１２６は、光ファイバコンポーネント２３を受け入れ、しかも、３個の光ファイバモジュール２２を１‐Ｕスペースの高さ内に納めることができるのに十分な高さを有する。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍ（即ち、７／１１インチ）であるのが良い。
【００３９】
別の光ファイバ接続部密度を備えた変形例としての光ファイバモジュールの採用が可能である。図１４は、図１の光ファイバ機器トレー２０内に収納することができる変形例としての光ファイバモジュール２２′の正面斜視図である。光ファイバモジュール２２′の形状因子は、図１〜図１３に示された光ファイバモジュール２２の形状因子と同一である。しかしながら、図１４の光ファイバモジュール２２′では、２個のＭＰＯ光ファイバアダプタ１５０が光ファイバモジュール２２′の前側開口部１２６を貫通して設けられている。ＭＰＯ光ファイバアダプタ１５０は、光ファイバモジュール２２′の本体９０の後側側部９８内に設けられた２つのＭＰＯ光ファイバアダプタ１５２に接続されている。ＭＰＯ光ファイバアダプタ１５０が各々１２本の光ファイバを支持する場合、光ファイバモジュール２２′は、最高２４個までの光ファイバ接続部を支持することができる。この例では、最高１２個までの光ファイバモジュール２２′がシャーシ１２の光ファイバ機器トレー２０内に設けられる場合、１‐Ｕスペース内にシャーシ１２により最高２８８個までの光ファイバ接続部を支持することができる。さらにこの例では、光ファイバモジュール２２′の前側開口部１２６は、前側開口部１２６の幅Ｗ1の３．４〜３．５ｍｍ当たり少なくとも１個の光ファイバ接続部という光ファイバ接続部密度をサポートするよう幅Ｗ1（図１３）内に２４個の光ファイバ接続部を支持することができる。理解されるべきこととして、モジュールに関する上述の説明は、パネルにも当てはまる。この開示の目的上、パネルは、一方の側部に１つ又は２つ以上のアダプタを有するのが良いが、反対側にはアダプタは設けられない。
【００４０】
上述の実施形態では、少なくとも１２心ＭＰＯ光ファイバコンポーネントを用いて１‐Ｕスペース内に少なくとも２８８個のデュプレックス送信及び受信ペアを設けることにより、１０ギガビットトランシーバを用いた場合、ハーフデュプレックスモードにおいて１‐Ｕスペースで毎秒少なくとも２８８０ギガビット又はフルデュプレックスモードにおいて１‐Ｕスペースで毎秒少なくとも５７６０ギガビットのデータ率をサポートすることができる。この構成は又、１００ギガビットトランシーバを採用した場合、それぞれ、ハーフデュプレックスモードにおいて１‐Ｕスペースで毎秒少なくとも４８００ギガビット及びフルデュプレックスモードにおいて１‐Ｕスペースで毎秒９６００ギガビットをサポートすることができる。この構成は又、４０ギガビットトランシーバを採用した場合、それぞれ、ハーフデュプレックスモードにおいて１‐Ｕスペースで毎秒少なくとも１９２０ギガビット及びフルデュプレックスモードにおいて１‐Ｕスペースで毎秒３８４０ギガビットをサポートすることができる。この構成は又、少なくとも１つの１２心ＭＰＯ光ファイバコンポーネントを用いる１０ギガビットトランシーバを採用した場合、フルデュプレックスモードにおいて１‐Ｕスペースで毎秒少なくとも４３２２ギガビット又は少なくとも１つの２４心ＭＰＯ光ファイバコンポーネントを用いる１０ギガビットトランシーバを採用した場合、フルデュプレックスモードにおいて１‐Ｕスペースで毎秒少なくとも２１６１ギガビットをサポートすることができる。
【００４１】
光ファイバモジュール２２′内のＭＰＯ光ファイバアダプタ１５０が２４本の光ファイバを支持する場合、光ファイバモジュール２２′は、最高４８個までの光ファイバ接続部を支持することができる。この例では、最高１２個までの光ファイバモジュール２２′がシャーシ１２の光ファイバ機器トレー２０内に設けられる場合、１‐Ｕスペース内にシャーシ１２により最高５７６個までの光ファイバ接続部を支持することができる。さらにこの例では、光ファイバモジュール２２′の前側開口部１２６は、前側開口部１２６の幅Ｗ1の１．７ｍｍ当たり少なくとも１個の光ファイバ接続部という光ファイバ接続部密度をサポートするよう幅Ｗ1内に４８個の光ファイバ接続部を支持することができる。
【００４２】
図１５は、図１の光ファイバ機器トレー２０内に収納できる別の変形例としての光ファイバモジュール２２″の正面斜視図である。光ファイバモジュール２２″の形状因子は、図１〜図１３に示された光ファイバモジュール２２の形状因子と同一である。しかしながら、光ファイバモジュール２２″では、４個のＭＰＯ光ファイバアダプタ１５４が光ファイバモジュール２２″の前側開口部１２６を貫通して設けられている。ＭＰＯ光ファイバアダプタ１５４は、光ファイバモジュール２２′の本体９０の後側側部９８内に設けられた４つのＭＰＯ光ファイバアダプタ１５６に接続されている。ＭＰＯ光ファイバアダプタ１５０が１２本の光ファイバを支持する場合、光ファイバモジュール２２″は、最高４８個までの光ファイバ接続部を支持することができる。この例では、最高１２個までの光ファイバモジュール２２″がシャーシ１２の光ファイバ機器トレー２０内に設けられる場合、１‐Ｕスペース内にシャーシ１２により最高７５６個までの光ファイバ接続部を支持することができる。さらにこの例では、光ファイバモジュール２２″の前側開口部１２６は、前側開口部１２６の幅Ｗ1の１．７ｍｍ当たり少なくとも１個の光ファイバ接続部という光ファイバ接続部密度をサポートするよう幅Ｗ1内に２４個の光ファイバ接続部を支持することができる。
【００４３】
さらに、光ファイバモジュール２２″内に設けられたＭＰＯ光ファイバアダプタ１５０が２４本の光ファイバを支持する場合、光ファイバモジュール２２″は、最高９６個までの光ファイバ接続部を支持することができる。この例では、最高１２個までの光ファイバモジュール２２″がシャーシ１２の光ファイバ機器トレー２０内に設けられる場合、１‐Ｕスペース内にシャーシ１２により最高１１５２個までの光ファイバ接続部を支持することができる。さらにこの例では、光ファイバモジュール２２″の前側開口部１２６は、前側開口部１２６の幅Ｗ1の０．８５ｍｍ当たり少なくとも１個の光ファイバ接続部という光ファイバ接続部密度をサポートするよう幅Ｗ1内に最高９６個までの光ファイバ接続部を支持することができる。
【００４４】
さらに、上述の実施形態では、少なくとも２４心ＭＰＯ光ファイバコンポーネントを用いて１‐Ｕスペース内に少なくとも５７６個のデュプレックス送信及び受信ペアを設けることにより、１０ギガビットトランシーバを用いた場合、ハーフデュプレックスモードにおいて１‐Ｕスペースで毎秒少なくとも５７６０ギガビット又はフルデュプレックスモードにおいて１‐Ｕスペースで毎秒少なくとも１１５２０ギガビットのデータ率をサポートすることができる。この構成は又、１００ギガビットトランシーバを採用した場合、それぞれ、ハーフデュプレックスモードにおいて１‐Ｕスペースで毎秒少なくとも４８００ギガビット及びフルデュプレックスモードにおいて１‐Ｕスペースで毎秒９６００ギガビットをサポートすることができる。この構成は又、４０ギガビットトランシーバを採用した場合、それぞれ、ハーフデュプレックスモードにおいて１‐Ｕスペースで毎秒少なくとも３８４０ギガビット及びフルデュプレックスモードにおいて１‐Ｕスペースで毎秒７６８０ギガビットをサポートすることができる。この構成は又、少なくとも１つの２４心ＭＰＯ光ファイバコンポーネントを用いる１０ギガビットトランシーバを採用した場合、フルデュプレックスモードにおいて１‐Ｕスペースで毎秒少なくとも８６４２ギガビット又は少なくとも１つの２４心ＭＰＯ光ファイバコンポーネントを用いる１０ギガビットトランシーバを採用した場合、フルデュプレックスモードにおいて１‐Ｕスペースで毎秒少なくとも４３２１ギガビットをサポートすることができる。
【００４５】
図１６は、光ファイバ接続部を支持すると共に接続部密度及び帯域幅をサポートするよう光ファイバ機器トレー２０内に設けることができる変形例としての光ファイバモジュール１６０を示している。図１７は、図１６の光ファイバモジュール１６０の右側正面斜視図である。この実施形態では、光ファイバモジュール１６０は、２つの組をなすモジュールレールガイド３２にわたって嵌まるよう設計されている。チャネル１６２が光ファイバ機器トレー２０内のモジュールレールガイド３２を受け入れるよう光ファイバモジュール１６０の中心軸線１６４を通って設けられている。図１〜図１３の光ファイバモジュール２２のモジュールレール２８Ａ，２８Ｂとほぼ同じモジュールレール１６５Ａ，１６５Ｂが光ファイバモジュール１６０のチャネル１６２の内側に設けられており、これらモジュールレールは、光ファイバ機器トレー２０に設けられているトレーチャネル３０と嵌合するよう構成されている。図１〜図１３の光ファイバモジュール２２のモジュールレール２８Ａ，２８Ｂとほぼ同じモジュールレール１６６Ａ，１６６Ｂが光ファイバモジュール１６０の各側部１６８，１７０に設けられており、これらモジュールレールは、光ファイバ機器トレー２０内のトレーチャネル３０と嵌合するよう構成されている。モジュールレール１６６Ａ，１６６Ｂは、光ファイバモジュール１６０の側部１６８，１７０に設けられているモジュールレールガイド３２と係合するモジュールレールガイド３２相互間に設けられたモジュールレールガイド３２のトレーチャネル３０と嵌合するよう構成されている。
【００４６】
最高２４個までの光ファイバコンポーネント２３を光ファイバモジュール１６０の前側側部１７２内に設けることができる。この実施形態では、光ファイバコンポーネント２３は、最高１２個までのデュプレックスＬＣ光ファイバアダプタで構成され、これらデュプレックスＬＣ光ファイバアダプタは、光ファイバモジュール１６０の後側端部１７６内に設けられた１つの２４心ＭＰＯ光ファイバコネクタ１７４に接続されている。３つの光ファイバトレー２０がシャーシ１２の高さ内に設けられている場合、全部で６個の光ファイバモジュール１６０を所与の１‐Ｕスペース内に支持することができる。光ファイバモジュール１６０一個当たり最高２４個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における２４個の光ファイバ接続部×６個の光ファイバモジュール１６０）。シャーシ１２は、２４個のシンプレックス又は１２個のデュプレックス光ファイバアダプタが光ファイバモジュール１６０内に設けられることにより、１‐Ｕスペース内に最高１４４個までの光ファイバ接続部を支持することができる。光ファイバモジュール１６０一個当たり最高２０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における２０個の光ファイバ接続部×６個の光ファイバモジュール１６０）。シャーシ１２は又、２０個のシンプレックス又は１０個のデュプレックス光ファイバアダプタが光ファイバモジュール１６０内に設けられることにより、１‐Ｕスペース内に最高１２０個までの光ファイバ接続部を支持することができる。
【００４７】
図１８は、この実施形態における光ファイバモジュール１６０の形状因子を更に示すために光ファイバコンポーネント２３が前側側部１７２内に装入されていない状態の図１６及び図１７の光ファイバモジュール１６０の正面図である。チャネル１６２の各側に設けられた前側開口部１７８Ａ，１７８Ｂが光ファイバコンポーネント２３を受け入れるよう光ファイバモジュール１６０の本体１８０の前側側部１７２を貫通して設けられている。幅Ｗ1，Ｗ2及び高さＨ1，Ｈ2は、図１３に示された光ファイバモジュール２２の場合と同一である。この実施形態では、前側開口部１７８Ａ，１７８Ｂの幅Ｗ1は、光ファイバモジュール１６０の本体１８０の前側側部１７２の幅Ｗ2の少なくとも８５％であるように設計されている。幅Ｗ2に対する幅Ｗ1の割合が高ければ高いほど、幅Ｗ2を増大させないで光ファイバコンポーネント２３を受け入れるよう前側開口部１７８Ａ，１７８Ｂに設けられる領域はそれだけ一層広くなる。
【００４８】
前側開口部１７８Ａ，１７８Ｂの各々の幅Ｗ1は、光ファイバモジュール１６０の本体１８０の前側側部１７２の幅Ｗ2の８５％以上であるよう設計されている。例えば、幅Ｗ1は、幅Ｗ2の９０％〜９９％であるよう設計されるのが良い。一例を挙げると、幅Ｗ1は、９０ｍｍ未満であるのが良い。別の例を挙げると、幅Ｗ1は、８５ｍｍ未満又は８０ｍｍ未満であるのが良い。例えば、幅Ｗ1と幅Ｗ2の比が９７．６％の場合、幅Ｗ1は、８３ｍｍであり、幅Ｗ2は、８５ｍｍであるのが良い。この例では、前側開口部１７８Ａ，１７８Ｂは、前側開口部１７８Ａ，１７８Ｂの幅Ｗ1の７．０ｍｍ当たり少なくとも１個の光ファイバ接続部という光ファイバ接続部密度をサポートするよう幅Ｗ1内に１２個の光ファイバ接続部を支持することができる。さらに、前側開口部１７８Ａ，１７８Ｂは、前側開口部１７８Ａ，１７８Ｂの幅Ｗ1の６．９ｍｍ当たり少なくとも１個の光ファイバ接続部という光ファイバ接続部密度をサポートするよう幅Ｗ1内に１２個の光ファイバ接続部を支持することができる。
【００４９】
さらに図１８に示されているように、前側開口部１７８Ａ，１７８Ｂの高さＨ1は、光ファイバモジュール１６０の本体１８０の前側側部１７２の高さＨ2の少なくとも９０％であるように設計されるのが良い。このようにすると、前側開口部１７８Ａ，１７８Ｂは、光ファイバコンポーネント２３を受け入れるのに十分な高さを有し、他方、３個の光ファイバモジュール１６０を１‐Ｕスペースの高さ内に納めることができる。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍであるのが良い。
【００５０】
図１９は、光ファイバ接続部を支持すると共に接続部密度及び帯域幅をサポートするよう光ファイバ機器トレー２０内に設けることができる別の変形例としての光ファイバモジュール１９０を示している。図２０は、図１９の光ファイバモジュール１９０の右側正面斜視図である。この実施形態では、光ファイバモジュール１９０は、２つの組をなすモジュールレールガイド３２にわたって嵌まるよう設計されている。長手方向レシーバ１９２が中心軸線１９４を通って設けられ、この長手方向レシーバ１９２は、光ファイバ機器トレー２０内のモジュールレールガイド３２をレシーバ１９２に設けられた開口部１９３を通って受け入れるよう構成されている。図１〜図１３の光ファイバモジュール２２のモジュールレール２８Ａ，２８Ｂとほぼ同じモジュールレール１９５Ａ，１９５Ｂが光ファイバモジュール１９０の各側部１９８，２００に設けられており、これらモジュールレールは、光ファイバ機器トレー２０に設けられているトレーチャネル３０と嵌合するよう構成されている。
【００５１】
最高２４個までの光ファイバコンポーネント２３を光ファイバモジュール１９０の前側側部２０２内に設けることができる。この実施形態では、光ファイバコンポーネント２３は、最高１２個までのデュプレックスＬＣ光ファイバアダプタで構成され、これらデュプレックスＬＣ光ファイバアダプタは、光ファイバモジュール１９０の後側端部２０６内に設けられた１つの２４心ＭＰＯ光ファイバコネクタ２０４に接続されている。３つの光ファイバトレー２０がシャーシ１２の高さ内に設けられている場合、全部で６個の光ファイバモジュール１９０を所与の１‐Ｕスペース内に支持することができる。光ファイバモジュール１９０一個当たり最高２４個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における２４個の光ファイバ接続部×６個の光ファイバモジュール１９０）。シャーシ１２は、２４個のシンプレックス又は１２個のデュプレックス光ファイバアダプタが光ファイバモジュール１９０内に設けられることにより、１‐Ｕスペース内に最高１４４個までの光ファイバ接続部を支持することができる。光ファイバモジュール１９０一個当たり最高２０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における２０個の光ファイバ接続部×６個の光ファイバモジュール１９０）。シャーシ１２は又、２０個のシンプレックス又は１０個のデュプレックス光ファイバアダプタが光ファイバモジュール１９０内に設けられることにより、１‐Ｕスペース内に最高１２０個までの光ファイバ接続部を支持することができる。
【００５２】
図２１は、光ファイバモジュール１９０の形状因子を更に示すために光ファイバコンポーネント２３が前側側部２０２内に装入されていない状態の図１９及び図２０の光ファイバモジュール１９０の正面図である。前側開口部２０８Ａ，２０８Ｂが光ファイバコンポーネント２３を受け入れるようレシーバ１９２の各側に且つ光ファイバモジュール１９０の本体２１０の前側側部２０２を貫通して設けられている。幅Ｗ1，Ｗ2及び高さＨ1，Ｈ2は、図１３に示された光ファイバモジュール２２の場合と同一である。この実施形態では、前側開口部２０８Ａ，２０８Ｂの幅Ｗ1は、光ファイバモジュール１９０の本体２１０の前側側部２０２の幅Ｗ2の少なくとも８５％であるように設計されている。幅Ｗ2に対する幅Ｗ1の割合が高ければ高いほど、幅Ｗ2を増大させないで光ファイバコンポーネント２３を受け入れるよう前側開口部２０８Ａ，２０８Ｂに設けられる領域はそれだけ一層広くなる。
【００５３】
前側開口部２０８Ａ，２０８Ｂの各々の幅Ｗ1は、光ファイバモジュール１９０の本体２１０の前側側部２０２の幅Ｗ2の８５％以上であるよう設計されている。例えば、幅Ｗ1は、幅Ｗ2の９０％〜９９％であるよう設計されるのが良い。一例を挙げると、幅Ｗ1は、９０ｍｍ未満であるのが良い。別の例を挙げると、幅Ｗ1は、８５ｍｍ未満又は８０ｍｍ未満であるのが良い。例えば、幅Ｗ1と幅Ｗ2の比が９７．６％の場合、幅Ｗ1は、８３ｍｍであり、幅Ｗ2は、８５ｍｍであるのが良い。この例では、前側開口部２０８Ａ，２０８Ｂは、前側開口部２０８Ａ，２０８Ｂの幅Ｗ1の７．０ｍｍ当たり少なくとも１個の光ファイバ接続部という光ファイバ接続部密度をサポートするよう幅Ｗ1内に１２個の光ファイバ接続部を支持することができる。さらに、前側開口部２０８Ａ，２０８Ｂは、前側開口部２０８Ａ，２０８Ｂの幅Ｗ1の６．９ｍｍ当たり少なくとも１個の光ファイバ接続部という光ファイバ接続部密度をサポートするよう幅Ｗ1内に１２個の光ファイバ接続部を支持することができる。
【００５４】
さらに図２１に示されているように、前側開口部２０８Ａ，２０８Ｂの高さＨ1は、光ファイバモジュール１９０の本体２１０の前側側部２０２の高さＨ2の少なくとも９０％であるように設計されるのが良い。このようにすると、前側開口部２０８Ａ，２０８Ｂは、光ファイバコンポーネント２３を受け入れ、しかも、３個の光ファイバモジュール１９０を１‐Ｕスペース高さ内に納めることができるのに十分な高さを有する。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍであるのが良い。
【００５５】
図２２は、１‐Ｕスペース内に、より多くの数の光ファイバ接続部を支持すると共に高い接続部密度及び帯域幅をサポートするよう光ファイバ機器トレー２０′内に設けることができる別の変形例としての光ファイバモジュール２２０を示している。この実施形態の光ファイバ機器トレー２０′は、上述した光ファイバ機器トレー２０とほぼ同じであるが、光ファイバ機器トレー２０′は、５つのモジュールレールガイド３２ではなく、モジュールレールガイド３２を３つしか備えていない。光ファイバ機器トレー２０′は、１‐Ｕ幅スペースにわたり２つの光ファイバモジュール２２０しか支持しない。光ファイバモジュール２２０は、光ファイバ機器トレー２０′内に配置されるべき光ファイバモジュール１６０，１９０のそれぞれのチャネル１６２又はレシーバ１９２を提供する必要がない。図２３は、図２２の光ファイバモジュール２２０の右側正面斜視図である。光ファイバモジュール２２０は、光ファイバ機器トレー２０′内の１組のモジュールレールガイド３２にわたって嵌まるよう設計されている。図１〜図１３の光ファイバモジュール２２のモジュールレール２８Ａ，２８Ｂとほぼ同じモジュール２２５Ａ，２２５Ｂは、光ファイバモジュール２２０の各側部２２８，２３０に設けられており、これらモジュールレールは、図２２に示されているように光ファイバ機器トレー２０′内のトレーチャネル３０と嵌合するよう構成されている。
【００５６】
最高２４個までの光ファイバコンポーネント２３を光ファイバモジュール２２０の前側側部２３２内に設けることができる。この実施形態では、光ファイバコンポーネント２３は、最高１２個までのデュプレックスＬＣ光ファイバアダプタで構成され、これらデュプレックスＬＣ光ファイバアダプタは、光ファイバモジュール２２０の後側端部２３６内に設けられた１つの２４心ＭＰＯ光ファイバコネクタ２３４に接続されている。３つの光ファイバトレー２０がシャーシ１２の高さ内に設けられている場合、全部で６個の光ファイバモジュール２２０を所与の１‐Ｕスペース内に支持することができる。光ファイバモジュール２２０一個当たり最高２４個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における２４個の光ファイバ接続部×６個の光ファイバモジュール２２０）。シャーシ１２は、２４個のシンプレックス又は１２個のデュプレックス光ファイバアダプタが光ファイバモジュール２２０内に設けられることにより、１‐Ｕスペース内に最高１４４個までの光ファイバ接続部を支持することができる。光ファイバモジュール２２０一個当たり最高２０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における２０個の光ファイバ接続部×６個の光ファイバモジュール２２０）。シャーシ１２は又、２０個のシンプレックス又は１０個のデュプレックス光ファイバアダプタが光ファイバモジュール２２０内に設けられることにより、１‐Ｕスペース内に最高１２０個までの光ファイバ接続部を支持することができる。
【００５７】
図２４は、この実施形態における光ファイバモジュール２２０の形状因子を更に示すために光ファイバコンポーネント２３が前側側部２３２内に装入されていない状態の図２２及び図２３の光ファイバモジュール２２０の正面図である。前側開口部２３８が光ファイバコンポーネント２３を受け入れるよう光ファイバモジュール２２０の本体２４０の前側側部２３２を貫通して設けられている。前側開口部２３８の幅Ｗ4は、図１３に示されている光ファイバモジュール２２の前側開口部９８の幅Ｗ1の約２倍である。前側側部２３２の幅Ｗ5は、１８８ｍｍであり、これは、図１３に示されている光ファイバモジュール２２の前側側部９６の幅Ｗ3の約２倍よりも僅かに大きい。高さＨ1，Ｈ2は、図１３に示されている光ファイバモジュール２２の場合と同一である。この実施形態では、前側開口部２３８の幅Ｗ4は、光ファイバモジュール２２０の本体２４０の前側側部２３２の幅Ｗ5の少なくとも８５％であるように設計されている。幅Ｗ5に対する幅Ｗ4の割合が高ければ高いほど、幅Ｗ4を増大させないで光ファイバコンポーネント２３を受け入れるよう前側開口部２３８に設けられる領域はそれだけ一層広くなる。
【００５８】
前側開口部２３８の各々の幅Ｗ4は、光ファイバモジュール２２０の本体２４０の前側側部２３２の幅Ｗ5の８５％以上であるよう設計されている。例えば、幅Ｗ4は、幅Ｗ5の９０％〜９９％であるよう設計されるのが良い。一例を挙げると、幅Ｗ4は、１８０ｍｍ未満であるのが良い。別の例を挙げると、幅Ｗ4は、１７０ｍｍ未満又は１６０ｍｍ未満であるのが良い。例えば、幅Ｗ4と幅Ｗ5の比が１６６  ２１７１＝９７％の場合、幅Ｗ4は、１６６ｍｍであり、幅Ｗ5は、１７１ｍｍであるのが良い。この例では、前側開口部２３８は、前側開口部２３８の幅Ｗ4の７．０ｍｍ当たり少なくとも１個の光ファイバ接続部という光ファイバ接続部密度をサポートするよう幅Ｗ4内に２４個の光ファイバ接続部を支持することができる。さらに、前側開口部２３８は、前側開口部２３８の幅Ｗ4の６．９ｍｍ当たり少なくとも１個の光ファイバ接続部という光ファイバ接続部密度をサポートするよう幅Ｗ4内に２４個の光ファイバ接続部を支持することができる。
【００５９】
さらに図２４に示されているように、前側開口部２３８の高さＨ1は、光ファイバモジュール２２０の本体２４０の前側側部２３２の高さＨ2の少なくとも９０％であるように設計されるのが良い。このようにすると、前側開口部２３８は、光ファイバコンポーネント２３を受け入れるのに十分な高さを有し、他方、３個の光ファイバモジュール２２０を１‐Ｕスペースの高さ内に納めることができる。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍであるのが良い。
【００６０】
図２５は、上述すると共に光ファイバモジュールを支持するよう示された光ファイバ機器トレーを有するのが良い別の実施形態としての光ファイバ機器２６０を示している。光ファイバ機器２６０は、この実施形態では、各々が１つ又は２つ以上の光ファイバモジュールを支持している光ファイバ機器トレーを保持するよう構成された４‐Ｕサイズのシャーシ２６２を有する。支持されている状態の光ファイバ機器トレーは、上述の光ファイバ機器トレー２０，２０′のどちらであっても良く、ここではこれについて再び説明しない。支持状態の光ファイバモジュールは、上述の光ファイバモジュール２２，２２′，２２″，１６０，１９０，２２０のいずれであっても良く、これについてはここでは再び説明しない。この例では、シャーシ２６２は、各々が光ファイバモジュール２２を支持することができる１２個の光ファイバ機器トレー２０を支持した状態で示されている。
【００６１】
上述のトレーガイド５８は、シャーシ２６２内に光ファイバ機器トレー２０のトレーレール５６を支持すると共に各光ファイバ機器トレー２０を別個独立にシャーシ２６２から伸長させたりこの中に引っ込めたりすることができるようにするようシャーシ２６２内で用いられている。前側ドア２６４がシャーシ２６２に取り付けられており、この前側ドアは、シャーシ２６２内に納められた光ファイバ機器トレー２０を固定するようシャーシ２６２周りで閉じるよう構成されている。また、カバー２６６が光ファイバ機器トレー２０を固定するようシャーシ２６２に取り付けられている。しかしながら、シャーシ２６２内には、最高１２個までの光ファイバ機器トレー２０を設けることができる。しかしながら、光ファイバ接続部密度及び接続帯域幅は、１‐Ｕスペース当たり依然として同一である。光ファイバ接続部密度及び接続帯域幅能力については上述してあり、これらは、図２５のシャーシ４２６２に同様に適用でき、これらについてはここでは再び説明しない。
【００６２】
以上要約すると、以下の表は、上述の光ファイバモジュール、光ファイバ機器トレー及びシャーシの種々の実施形態を採用した１‐Ｕ及び４‐Ｕスペース内で提供可能な光ファイバ接続部密度及び帯域幅の幾つかをまとめて記載している。例えば、１つの送信／受信ペアについて二重化された２本の光ファイバは、ハーフデュプレックスモードにおいて毎秒１０ギガビット又はフルデュプレックスモードにおいて毎秒２０ギガビットのデータ率に対応することができる。別の例を挙げると、４つの送信／受信ペアについて二重化された１２心ＭＰＯ光ファイバコネクタ内の８本の光ファイバは、ハーフデュプレックスモードにおいて毎秒４０ギガビット又はフルデュプレックスモードにおいて毎秒８０ギガビットのデータ率に対応することができる。別の例を挙げると、１０個の送信／受信ペアについて２４心ＭＰＯ光ファイバコネクタ内の２０本の光ファイバは、ハーフデュプレックスモードにおいて毎秒１００ギガビット又はフルデュプレックスモードにおいて毎秒２００ギガビットのデータ率に対応することができる。この表は、例示であり、本明細書において開示した実施形態は、以下に提供される光ファイバ接続部密度及び帯域幅には限定されないことに留意されたい。
【００６３】
【表１】
0005746691.tif 000002
【００６４】
（表続き）
0005746691.tif 000003
【００６５】
上記説明及び関連の図面に提供された教示の恩恵を受ける本発明と関連した当業者であれば、本明細書において説明した本発明の多くの改造例及び他の実施形態を想到できよう。これら改造としては、光ファイバ機器、光ファイバ機器引出し、光ファイバ機器引出しに組み込まれる特徴の数又は形式が挙げられるが、これらには限定されず、このような特徴としては、保持特徴、引き抜き距離特徴、傾き特徴及び／又は傾き制限特徴が挙げられるが、これらには限定されない。１‐Ｕ、２‐Ｕ及び４‐Ｕサイズを含む（これらには限定されない）任意サイズの機器は、上述の特徴の幾つか又は全てを含むことができ、このような特徴としては、本明細書において開示した光ファイバ機器引出し（傾斜可能なタイプと傾斜できないタイプの両方）、光ファイバ機器トレー及び光ファイバモジュール並びにこれらの特徴の幾つか又は全てが挙げられるが、これらには限定されない。さらに、改造は、光ファイバ機器トレーの形式又は光ファイバ機器トレー内に設置される光ファイバモジュールを支持する手段若しくは装置には限定されない。光ファイバモジュールは、任意の光ファイバ接続形式を含むことができ、このような光ファイバ接続形式としては、光ファイバコネクタ及びアダプタ並びに光ファイバ接続の数、密度等が挙げられるが、これらには限定されない。
【００６６】
さらに、本明細書において用いられる「光ファイバケーブル」及び／又は「光ファイバ」という用語は、全ての形式のシングルモード及びマルチモード導波路を含み、このような導波路としては、アップコード付き、色分け、バッファ型、リボン型のものであるのが良く且つ／或いはケーブル内の他の組織化又は保護構造体、例えば１本又は２本以上の管、抗張力体、ジャケット等を有する１本又は２本以上の光ファイバが挙げられる。同様に、適当な光ファイバの他の形式としては、曲げ不敏感性光ファイバ又は光信号を伝送するための媒体の任意他の手段が挙げられる。曲げ不敏感性光ファイバの一例は、コーニング・インコーポレイテッド（Corning Incorporated）から市販されているClearCurve（登録商標）マルチモードファイバである。
【００６７】
したがって、実施形態は、開示した特定の実施形態には限定されず、改造例及び他の実施形態は、添付の特許請求の範囲に記載された本発明の範囲に含まれるものであることは理解されるべきである。実施形態は、これらが特許請求の範囲に記載された本発明の範囲及びその均等範囲に属する限り、本発明の改造例及び変形例を包含するものである。特定の用語を本明細書において採用したが、特定の用語は、本発明を限定する目的ではなく、一般的且つ説明的な意味でのみ用いられている。
【図１】
0005746691.tif 000004
【図２】
0005746691.tif 000005
【図３】
0005746691.tif 000006
【図４】
0005746691.tif 000007
【図５】
0005746691.tif 000008
【図６】
0005746691.tif 000009
【図７】
0005746691.tif 000010
【図８Ａ】
0005746691.tif 000011
【図８Ｂ】
0005746691.tif 000012
【図９Ａ】
0005746691.tif 000013
【図９Ｂ】
0005746691.tif 000014
【図１０Ａ】
0005746691.tif 000015
【図１０Ｂ】
0005746691.tif 000016
【図１１】
0005746691.tif 000017
【図１２】
0005746691.tif 000018
【図１２Ａ】
0005746691.tif 000019
【図１３】
0005746691.tif 000020
【図１４】
0005746691.tif 000021
【図１５】
0005746691.tif 000022
【図１６】
0005746691.tif 000023
【図１７】
0005746691.tif 000024
【図１８】
0005746691.tif 000025
【図１９】
0005746691.tif 000026
【図２０】
0005746691.tif 000027
【図２１】
0005746691.tif 000028
【図２２】
0005746691.tif 000029
【図２３】
0005746691.tif 000030
【図２４】
0005746691.tif 000031
【図２５】
0005746691.tif 000032